(57)【要約】【課題】  コストアップを招くＥＭＩ対策部品や筐体のシールドを用いることなく、十分にＥＭＩレベルを低減させる。【解決手段】  携帯コミュニケーション装置は、デジタルカメラ８１と、ディスプレイ装置９１を備え、デジタルカメラ８１とディスプレイ装置９１における画像処理部１２７において、スペクトル拡散が施された基本クロックを供給するスペクトラム拡散クロック発生器ＳＳＣＧ１により供給される基本クロックを用いて画像処理が行われる。【選択図】  図１２
2006186978.tif 000002
【特許請求の範囲】
【請求項１】
スペクトル拡散処理を施した第１のクロックを用い映像信号処理を実施する映像処理手段と、
スペクトル拡散処理を施されていない第２のクロックを用い映像信号を生成する映像信号生成手段と
を備えたことを特徴とする携帯コミュニケーション装置。
【請求項２】
さらに、画像処理部を備え、
前記映像処理手段は、前記第１のクロックを用いて、前記画像処理部における信号処理を行うことを特徴とする請求項１記載の携帯コミュニケーション装置。
【請求項３】
前記画像処理部は、デジタルカメラ又はディスプレイ装置における画像処理部であることを特徴とする請求項２記載の携帯コミュニケーション装置。
【請求項４】
前記携帯コミュニケーション装置は、携帯電話又はＰＨＳであることを特徴とする請求項１から３のいずれか１つに記載の携帯コミュニケーション装置。
【請求項５】
さらに、前記スペクトル拡散処理のためのスペクトル拡散のデータを記憶する書き換え可能なメモリを有し、
前記スペクトル拡散処理は、前記スペクトル拡散のデータを前記書き換え可能なメモリから読み出して用いることを特徴とする請求項１から４のいずれか１つに記載の携帯コミュニケーション装置。
【発明の詳細な説明】
【技術分野】
【０００１】
本発明は携帯コミュニケーション装置、更に詳しくはＥＭＩ対策部分に特徴のある携帯コミュニケーション装置に関する。
【背景技術】
【０００２】
従来から電子機器においては、電磁環境特性ＥＭＣに関して各国の規制値（ＦＣＣ（米国），ＶＣＣＩ（日本国），ＣＩＳＰＲ（欧州）等）を満足させるためにＥＭＩ対策を実施している。
【０００３】
欧州地域に流通する電子機器にとってはＣＥマークを取るためにＥＭＣ対策は設計上の必須項目である。特に映像機器においては、ビデオ信号のデジタル化に伴い、数十ＭＨｚのクロック信号を用いて動作させるためにクロックの高調波成分が多く電磁波として発生する。
【０００４】
このクロックの高調波成分を規制値の限度内に抑えるためのＥＭＩ対策は、映像機器の開発段階において多くの試行錯誤を繰り返し実施されてきた。そして、従来からこのための対策として、以下のような対策方法がとられていた。
【０００５】
（Ａ）電磁波ノイズの発生源である電子回路の基板を金属筐体で覆い、金属筐体の隙間をガスケットやシールドフィンガー等を使い完全な箱型のシールド筐体とし電磁波を閉じ込める。
【０００６】
（Ｂ）コネクタに接続される接続ケーブルにシールド線を使い、接続シールド電位を金属筐体の電位と同じにしケーブルのシールド能力を向上させ、筐体および接続ケーブルの外部へ電磁波が漏れるのを防ぐ。
【０００７】
（Ｃ）金属筐体で完全にシールドできない場合に、電子回路の電磁波発生源にフェライトビーズ等のＥＭＩ対策部品を配置し、発生原因の信号の高調波成分を熱エネルギとして減衰させるか、またはＧＮＤ等の低インピーダンス部分に逃がし電磁放射レベルを低減する。
【０００８】
上記の従来からの対策方法（Ａ）や（Ｂ）では、筐体の設計を工夫しシールド性を高める工夫が電子機器のサイズを大きくすると共に、コストアップをまねくものになっていた。
【０００９】
また、対策方法（Ｃ）では、電子回路上でのフェライトビーズ等のＥＭＩ対策部分の追加が回路の大きさを増加させ、さらにＥＭＩ対策部品分のコストアップをまねいていた。
【００１０】
ここで、図１３に示すような、ＣＣＤ２０１、ＣＣＤドライバ２０２、ＳＳＧ（同期信号発生器）２０３、基本クロック発振器２０４、Ｓ／Ｈ（サンプルホールド回路）２０５、ＬＰＨ（ローパスフィルタ）２０６、Ａ／Ｄコンバータ２０７、ＤＳＰ２０８、Ｄ／Ａコンバータ２０９、ＬＰＦ２１０、エンコーダ２１１、分周器２１２、加算器２１３からなる電子回路を例に従来技術を説明する。
【００１１】
図１３の電子回路は、従来よりあるビデオカメラの回路構成であり、基本クロック発振器２０４からの基本クロックをＳＳＧ２０３で分周して各種同期信号（４ｆｓｃ、Ｓｙｎｃ，ＢＦ等）をＳ／Ｈ２０５からエンコーダ２１１までの信号処理ステップに供給している。ＣＣＤ２０１はＳＳＧ２０３から出力する信号によりＣＣＤドライバ２０２を介して駆動される。
【００１２】
ＣＣＤ２０１からの出力信号はＳ／Ｈ２０５により処理され、ＬＰＦ２０６を通してＡ／Ｄコンバータ２０７に入力されデジタル値に変換され、ＤＳＰ２０８にて演算が実行される。Ｄ／Ａコンバータ２０９にてＤＳＰ２０８の出力をアナログ信号（輝度Ｙ，色差Ｒ−Ｙ，Ｂ−Ｙ等）に変換し出力される。ここで、ＬＰＦ２１０はＤ／Ａ変換後のアナログ信号のノイズを除去するローパスフィルタである。
【００１３】
そして、エンコーダ２１１はＳＳＧ２０３から各種同期信号（４ｆｓｃ，Ｓｙｎｃ，ＢＦ等）及び分周器２１２からのｆｓｃを受け取りテレビ信号フォーマット（ＮＴＳＣ・ＰＡＬ等）に合致する輝度信号Ｙとカラーサブキャリア信号Ｃを出力する。
【００１４】
加算器２１３は輝度信号Ｙとカラーサブキャリア信号Ｃを加算しＮＴＳＣやＰＡＬ等の複合映像信号を出力する。
【００１５】
次にＣＣＤ２０１の出力信号を処理するための動作として、従来のサンプルホールド処理のメカニズムを図１４を用いて説明する。
【００１６】
図１４（ａ）に示す駆動パルスに対して駆動信号が遅れてＣＣＤ２０１に到達するので、図１４（ｂ）に示すようにΔｔ１だけの遅延時間を持つＣＣＤ出力となる。さらにＣＣＤ出力は、ＣＣＵ部までのΔｔ２だけケーブル遅延が生じるためＳ／Ｈ回路２０５の受信信号は図１４（ｃ）に示すようになる。そして、この受信信号をＳ／Ｈ回路２０５は図１４（ｄ）に示すＳ／Ｈパルスにてサンプルホールドしていた。
【００１７】
ここで、図１４（ｄ）に示すＳ／Ｈパルスは、図１４（ａ）に示す駆動パルス列のなかでＣＣＤ２０１を駆動したおおもとの信号ポイントＡより時間的に遅延したＢポイントの信号を基準にしてＳ／Ｈパルスは作られていた。
【００１８】
この従来の設計手法は、通常同期回路と呼ばれるものであり、タイミング設計がしやすく通常実施するテクニックである。しかし同期したクロックを基準にしてシステム動作をするために、クロックの高調波成分がクロックの立ち上がりと立ち下がりの時間で周期的に発生しやすい点があった。
【００１９】
つまり、図１３に示した従来の電子回路例では、ＣＣＤ２０１の駆動から最終的な映像信号を作り出すまでの段階の全てにおいて、基本クロック発振器２０４からの基本クロックを分周した各種同期信号により処理されており、すべてのブロックで基本クロック発振器２０４に同期した動作をしており、基本クロック発振器２０４の高調波成分がＥＭＩ成分として、外部に電磁波として放出されることになる。
【００２０】
この電磁波のレベルは、図１５に示すように、基本クロック発振器２０４に同期している電磁波成分なので、スペクトルアナライザ等の測定器で観察すると、ピークレベルを持つ狭帯域のエネルギ分布として表現される。
【００２１】
各国の電磁妨害波規制値に対し評価するＥＭＩ観測では、このピークレベルを持つ狭帯域のエネルギ分布に対しある帯域フィルタを通して受信機で強度レベルを読むことにより、ノイズレベルを評価している。
【００２２】
このノイズレベルを下げることがＥＭＩ対策である。従来よく実施される手段として、図１６に示すように、回路基板２２１を金属で作成した筐体２２２で覆いシールド性を高める工夫がなされていた。
【００２３】
また、軽量化を達成するために筐体２２２を金属で作成できない場合は、モールド等の部材を使い回路基板２２１を覆う。しかし、この場合はシールド効果が無いので、回路基板２２１をモールドの筐体２２２内部で等電位の金属プレートで覆う等の工夫、またはモールドで形成した筐体２２２の内側に導電性の皮膜を形成しシールド効果をもたすなどの工夫をしてきた。
【００２４】
さらに、ノイズレベルを下げるための回路的工夫としては、回路基板２２１上の電子回路部に、フェライトビーズ等のＥＭＩ対策部品の追加等を実施して、回路上のＥＭＩレベルの抑圧をピンポイント的に行ってきた。
【発明の開示】
【発明が解決しようとする課題】
【００２５】
しかしながら、上記の従来のＥＭＩ対策では、いずれの場合も、高価な追加対策部材を必要としコスト高になるといった問題がある。
【００２６】
また、対策部材のノイズ抑圧効果も、部材のバラツキおよび組付け時の接合具合等により差が生じており、対策効果の安定性が無いことが製造上の課題になっている。
【００２７】
図１７及び図１８に電波暗室においてスペクトルアナライザを用いて測定した従来のＥＭＩ対策後の結果の具体例を示す。
【００２８】
なお、図１７と図１８ともに水平偏波のＥＭＩレベルを観測した結果である。また、図１６及び図１７においては、参考例としてＣＩＳＰＲ  Ｐｕｂ．１１のＣｌａｓｓＡのリミットラインを示している。点線は参考として６ｄＢのマージンラインである。
【００２９】
図１７は図１６に示したように、回路基板２２１を金属の筐体２２２で覆い、シールド性を高める工夫をした場合の従来からの対策結果である。さらに図１８はモールド等の部材を使った筐体２２２により回路基板２２１を覆った場合の結果であり、この場合はシールド効果が無いのでＥＭＩの放射レベルも大きくなってしまった。
【００３０】
この図１７と図１８に示したのはＣｌａｓｓＡのリミットラインであるが、民生用の機器や医療機では各国の規制値は、通常ＣｌａｓｓＢのリミットラインを要求しており、対策に非常に大きな時間と労力を必要とする。
【００３１】
このＣｌａｓｓＢのリミットラインは、ＣｌａｓｓＡのリミットラインに対してＣＩＳＰＲの場合であると１０ｄＢ厳しくなった規格値となる。この１０ｄＢのリミットラインは、図１７と図１８において図示したリミットラインとマージンラインを下側に１０ｄＢ平行移動したものであり、図１７と図１８に示す現状のＥＭＩレベルではＣｌａｓｓＢのリミットラインとマージンラインをクリアするのは難しいものとなる。
【００３２】
このように従来技術では、上記問題の他に、筐体２２２を設計上、工夫しシールド性を高める工夫を実施するとか、回路基板２２１上の電子回路部に、フェライトビーズ等のＥＭＩ対策部品の追加等を実施して回路上のＥＭＩレベル抑圧をするとかして、高価な追加対策部材を用いても、十分にＥＭＩ対策が実施できないという問題がある。
【００３３】
本発明は、上記事情に鑑みてなされたものであり、コストアップを招くＥＭＩ対策部品や筐体のシールドを用いることなく、十分にＥＭＩレベルを低減させることのできる携帯コミュニケーション装置を提供することを目的としている。
【課題を解決するための手段】
【００３４】
本発明の携帯コミュニケーション装置は、スペクトル拡散処理を施した第１のクロックを用い映像信号処理を実施する映像処理手段と、スペクトル拡散処理を施されていない第２のクロックを用い映像信号を生成する映像信号生成手段とを備えて構成される。
【００３５】
本発明の携帯コミュニケーション装置では、前記映像処理手段がスペクトル拡散処理を施した前記第１のクロックを用い映像信号処理を実施することで、コストアップを招くＥＭＩ対策部品や筐体のシールドを用いることなく、十分にＥＭＩレベルを低減させることを可能とする。
【発明の効果】
【００３６】
本発明の携帯コミュニケーション装置によれば、映像処理手段がスペクトル拡散処理を施した第１のクロックを用い映像信号処理を実施するので、コストアップを招くＥＭＩ対策部品や筐体のシールドを用いることなく、十分にＥＭＩレベルを低減させることできるという効果がある。
【発明を実施するための最良の形態】
【００３７】
以下、図面を参照しながら本発明の実施の形態について述べる。
【００３８】
第１の実施の形態：  
図１ないし図６は本発明の第１の実施の形態に係わり、図１は映像機器であるアナログ方式のビデオカメラの構成を示す構成図、図２は図１のＳＳＣＧの構成を示す構成図、図３は図２のＳＳＣＧによるスペクトル拡散処理の作用を説明する説明図、図４は図１のビデオカメラを金属筐体で覆った際のＥＭＩ測定の結果を示す図、図５は図１のビデオカメラをモールド筐体で覆った際のＥＭＩ測定の結果を示す図、図６は図１のサンプルホールド信号を説明する図である。
【００３９】
本実施の形態を含む以下の各実施の形態では、映像機器の基本動作クロックにスペクトル拡散処理を施し、映像信号処理を行う。
【００４０】
さらに、各ＴＶ方式に合致させるために、スペクトル拡散処理を施さない信号系統を映像信号処理系統とは別に用意しＴＶ信号を合成または制御することにより、通常の映像機器と接続可能とする。
【００４１】
これにより、映像信号処理系統はスペクトル拡散処理を施されることにより、低ＥＭＩレベルで動作する回路を実現する。またスペクトル拡散処理を施さない信号系統を用いてＴＶ信号を合成または制御するので通常の映像機器を用いても実用上互換がある。またさらに高価なＥＭＩ対策部品を必要とせずに安価なＥＭＩ対策を実施できるので映像機器の低コスト化に有効である。
【００４２】
まず、スペクトル拡散処理の作用について図３を用いて説明する。
【００４３】
図３において、スペクトル拡散処理をしない場合のノイズレベルを実線により示し、スペクトル拡散処理を実行した場合を破線により示す。
【００４４】
スペクトル拡散処理を実行すると、スペクトル拡散処理をしない場合のノイズレベルのケースではピーク状に存在していたノイズのレベルが、矢印に示す様にある帯域内でノイズレベルパワーが拡散されることによりスペクトル拡散をしない場合に比べてノイズレベルが約６ｄＢから約１０ｄＢほど改善される。
【００４５】
このスペクトル拡散処理によりＥＭＩのレベルを軽減し対策を軽微なものとすることが可能となる。
【００４６】
次に、最初に図２を用いて、スペクトラム拡散技術の原理的な説明をする。
【００４７】
図２は、ＳＳＣＧ（Ｓｐｒｅａｄ  Ｓｐｅｃｔｒｕｍ  Ｃｌｏｃｋ  Ｇｅｎｅｒａｔｏｒ：スペクトラム拡散クロック発生器）１の内部構成を示しており、このＳＳＣＧ１では、クロック入力端子２からの信号を位相比較器（ＰＣ）３が受け、位相エラー信号をチャージポンプ４に受け渡す。ここで、チャージポンプ４の出力は位相エラーが少ない時は直流の電位で安定している。
【００４８】
このチャージポンプ４の出力は、加算器５にてＤ／Ａコンバータ６の出力である拡散信号がミックスされる。拡散信号をミックスされた信号はＶＣＯ７に入力され、スペクトラム拡散クロック出力端子８からスペクトラム拡散を受けたクロック信号として外部に出力される。また、スペクトラム拡散クロック出力端子８に出力されるスペクトラム拡散を受けたクロック信号は、位相比較器３に戻されクロック入力端子２と位相比較され位相エラーが少なくなるように、ＰＬＬのフィードバックループが作用する。
【００４９】
なお、スペクトル拡散のデータはＲＡＭ１０に格納されており、ＲＡＭ１０からスペクトル拡散のデータが読み出されてＤ／Ａコンバータ６にてＤ／Ａ変換されて、上記拡散信号として加算器５に入力される。
【００５０】
ＲＡＭ１０に記憶されているスペクトル拡散のデータは、リセット端子１１からのリセット信号により初期状態にもどる機能を持ち、このリセット信号を外部から入力することにより、外部信号に対してスペクトラム拡散の処理を同期して行うことができる。さらにデータロード端子１２からは、ＲＡＭ１０に記憶すべきスペクトル拡散のデータを入力し書き換えることができる。
【００５１】
このデータロード端子から入力可能なスペクトル拡散のデータの形式としては、図２に示すように、ランプ波状等の周期的に線形な位相シフトを行いスペクトル拡散を行うものでも良く、またはホワイト雑音成分を持つスペクトル成分を形成する有限周期のＰＮ（疑似ランダム雑音）のデータであっても良い。
【００５２】
図１を用いて第１の実施の形態を具体的に説明する。図１はアナログ方式のビデオカメラの実施形態である。
【００５３】
図１に示すように、本実施の形態のアナログ方式のビデオカメラ２１は、被写体を撮像するＣＣＤ２２と、ＣＣＤ２２を駆動するＣＣＤドライバ２３と、基本クロック（４ｆｓｃ、ｆｓｃ：サブキャリア周波数）を発生する基本クロック発振器２４と、基本クロック発振器２４からの基本クロック（４ｆｓｃ）に対してスペクトル拡散を行う上述したＳＳＣＧ１と、ＳＳＣＧ１によりスペクトル拡散が施された基本クロックより各種同期信号を生成するＳＳＧ（同期信号発生器）２５と、基本クロックを１／４分周する分周器２６と、ＣＣＤ２２の出力をサンプルホールドするＳ／Ｈ（サンプルホールド回路）２７とを備えている。
【００５４】
アナログ方式のビデオカメラ２１において、Ｄｅｌａｙ回路２８は、ＳＳＧ２５からクロックを受け、Ｓ／Ｈパルス２８ａをΔｔ１＋Δｔ２時間遅延しＳ／Ｈ２７へ供給している。
【００５５】
さらに、Ｓ／Ｈ２７によりサンプルホールド処理された信号は、γ補正回路２９でのγ補正処理の後、ＨＡＰ（水平輪郭）強調回路３０及びＶＡＰ（垂直輪郭）強調回路３１で輪郭強調の処理がなされ、加算器３３にてＹ信号となる。
【００５６】
また、Ｓ／Ｈ２７によりサンプルホールド処理された信号は、１ＨＤｅｌａｙ回路３４及び同時化スイッチ３５を通り色信号成分のＣＢ、ＣＲになる。そして、マトリクス回路３６において輝度信号成分であるＹＬ信号とＣＲ、ＣＢ信号よりＲＧＢの三原色信号に変換される。
【００５７】
Ｇａｉｎコントロール回路３７は、マトリクス回路３６からのＲＧＢの三原色信号に対してホワイトバランスを取るための可変ゲイン部であり、ゲインコントロール処理後のＲ’Ｇ’Ｂ’信号を色演算回路３８により演算処理し、その結果を積分回路３９にてＤＣレベルに変換し、ＷＢ（ホワイトバランス）制御回路４０にてＧａｉｎコントロール回路３７へフィードバックする。
【００５８】
このフィードバックループによりマトリクス回路３６からのＲＧＢの三原色信号に対しホワイトバランスが取れるように制御される。
【００５９】
ホワイトバランス処理されたＧａｉｎコントロール回路３７でのゲインコントロール処理後のＲ’Ｇ’Ｂ’信号は、色γ回路４１で処理されてＲ”Ｇ”Ｂ”信号とし適切な色再現になるように階調補正される。そして、色差マトリクス回路４２によりＲ”Ｇ”Ｂ”信号はＲ−Ｙ，Ｂ−Ｙ色差信号に変換される。
【００６０】
さらにＲ−Ｙ，Ｂ−Ｙ色差信号は、色変調器４３により直角２相変調を受け、分周器２６からのｆｓｃ（サブキャリア周波数）により変調された色信号になる。この変調された信号は加算器４４にて後述する基準バースト信号と加算され色信号Ｃとなる。そして、この色信号Ｃは加算器４５にて加算器３３からのＹ信号と加算されてビデオ信号(video)として出力される。
【００６１】
この第１の実施の形態では、基本クロック発振器２４の基本クロックを分周器２６で１／４分周し分周しｆｓｃ（サブキャリア周波数）を作成している。また、基準バースト信号は、バーストゲート４６によりＳＳＧ２５からＢＦ（バーストフラグ）信号を受けｆｓｃ（サブキャリア周波数）をゲーティングすることにより作成されている。
【００６２】
また、この第１の実施の形態では、上述したように、基本クロック発振器２４を図２に説明したＳＳＣＧ１を用いてスペクトラム拡散したクロックを利用している。
【００６３】
つまり、ＴＶ同期信号（Ｓｙｎｃ信号、ＨＤ信号、ＶＤ信号等）を作成するＳＳＧ２５をスペクトラム拡散したクロックを用いて動作させ、さらにＣＣＤ２２の駆動もＣＣＤ２２のサンプルホールド処理から色変調器により直角２相変調を受ける手前までも含めスペクトラム拡散したクロックで処理する。
【００６４】
第１の実施の形態においては、図１の太線で示す部分の基本クロック発振器２４の出力部分と、分周器２６からのｆｓｃ（サブキャリア周波数）とバーストゲート４６からの基準バースト信号の同期分周処理のみが、基本クロック発振器２４に完全同期した信号となるが、それ以外はＳＳＣＧ１によりスペクトル拡散されたクロックにより動作する。
【００６５】
なお、本実施の形態の場合は、Ｓｙｎｃ信号等の水平走査にまつわる同期信号は、ｆｓｃのカラーサブキャリア信号の間で周波数インターリーブの関係は崩れるが、ＴＶモニタやＶＴＲ等の機器は水平走査の位相偏移（ジッタ）に対しＡＦＣ、ＡＰＣ等の自動補正機能を機器の側で独自に持っているので、実用上は周波数インターリーブの関係が崩れていてもまったく問題は無い。
【００６６】
図４（金属筐体）と図５（モールド筐体）に本実施の形態のアナログ方式のビデオカメラ２１の具体的なＥＭＩ測定結果を示す。
【００６７】
なお、図４（金属筐体）と図５（モールド筐体）は、従来技術で説明した図１７（金属筐体）及び図１８（モールド筐体）と同一のセットに対して、本実施の形態を施し効果を交互に比較したものである。
【００６８】
図４（金属筐体）は、筐体を金属のシールドで処理した場合の例であり、シールドとしては従来例の図１７（金属筐体）に示す条件と同一である。
【００６９】
従来の図１７（金属筐体）と比較すると、６０ＭＨｚから２００ＭＨｚほどにかけての帯域のピーク状のＥＭＩノイズがスペクトラム拡散処理を受けて低減され、図４（金属筐体）に示すように測定システムの暗ノイズレベルまで低減されているのが確認できる。
【００７０】
さらに、図５（モールド筐体）では、筐体はモールドであり、まったくシールド効果が無いにもかかわらず、６０ＭＨｚから５００ＭＨｚほどにかけての帯域のピーク状のＥＭＩノイズがスペクトラム拡散処理を受けて低減している。図１８（モールド筐体）の場合と比較すると、図５（モールド筐体）は約６ｄＢ程度は改善されている。
【００７１】
このように本実施の形態では、図４（金属筐体）と図５（モールド筐体）のＥＭＩ測定結果を見ると、従来の図１７（金属筐体）と図１８（モールド筐体）の場合に比べてピーク状のＥＭＩノイズは拡散処理され、結果的にＥＭＩレベルは改善され、Ｃｌａｓｓ  Ｂのリミットラインを十分にクリアできるまでにＥＭＩレベルを低減させることができる。
【００７２】
なお、Ｓ／Ｈ回路２７で行われる処理は、ＣＣＤ２２より出力されるＣＣＤ信号に対応して、タイミングが合っている必要があり、ＣＣＤ信号に対して完全に相関がとれている必要がある。
【００７３】
このタイミングが駆動信号側と一致しないと、Ｓ／Ｈ２７での位相タイミングずれによる１／ｆノイズの発生がランダムまたはビート状の視覚ノイズとなって現われてしまう。
【００７４】
そこで、図６を用いて、このビート現象の解決方法を説明する。図６は本実施の形態のサンプルホールドパルス生成の図である。
【００７５】
従来例の図１４に示すサンプルホールドパルス生成動作では、駆動パルスを基準としてＣＣＤ出力が作られ、これを受信回路で受けた後にサンプルホールド回路で処理する。
【００７６】
従来のサンプルホールド処理では、Ａ駆動パルスを基準として生成された信号はΔｔ１とΔｔ２の時間遅延が生じるので、Ａ駆動パルスの次の基準パルスである駆動パルスＢで処理する（通常の同期処理回路）。故に、図１４で説明したように、サンプルホールド回路ではＢ駆動パルスを基準としてサンプルホールドパルスを生成している。
【００７７】
従来例の図１３で示した回路では、図１４に示したようにサンプルホールドパルスをＡ駆動信号またはＢ駆動信号等の同期信号のタイミングで処理すれば画質に与える影響は無く、何ら問題はなかった。
【００７８】
しかし、本実施の形態のように、各駆動信号がスペクトラム拡散されている場合には、各ＣＣＤ出力自体にスペクトラム拡散変調が施されているので、各サンプルホールド信号にもそれぞれ駆動信号に対応したタイミングで処理してやる必要がある。これを実施しない場合は画像ノイズが発生してしまう。
【００７９】
図６（ａ）にＳＳ変調（スペクトラム拡散変調）された駆動パルス、図６（ｂ）にＳＳ変調されたＣＣＤ出力信号、図６（ｃ）にＳ／Ｈ２７の受信信号及び図６（ｄ）にＳＳ変調されたサンプルホールドパルスを示す。
【００８０】
本実施の形態では、図６において、駆動パルスの「Ａパルス変調成分」により変調を受けた駆動信号から生成されるＣＣＤ信号は「Ａパルス変調成分」により変調されたＳＳ変調されたサンプルホールド（S/H）パルス（ｄ）によって処理されている。
【００８１】
そこで、本実施の形態では、Ｄｅｌａｙ回路２８により駆動パルスを遅延させることにより、駆動信号とＣＣＤ信号、サンプルホールド信号の変調成分を対応つけている。
【００８２】
第２の実施の形態：  
図７及び図８は本発明の第２の実施の形態に係わり、図７は映像機器であるデジタル方式のビデオカメラの構成を示す構成図、図８は図７のデジタル方式のビデオカメラの変形例の構成を示す構成図である。
【００８３】
第２の実施の形態は、第１の実施の形態とほとんど同じであるので、異なる点のみ説明し、同一の構成には同じ符号をつけ説明は省略する。
【００８４】
次に図７を用いて、第２の実施の形態を説明する。図７はデジタル方式のビデオカメラの実施形態である。
【００８５】
図７に示すように、本実施の形態のデジタル方式のビデオカメラ（デジタルカメラ）５１において、Ｓ／Ｈ回路２４によりサンプルホールドされた信号はＬＰＦ５２を介してＡ／Ｄコンバータ５３の信号入力に出力される。そして、Ａ／Ｄコンバータ５３のデジタル出力はＤＳＰ（デジタルシグナルプロセッサ）５４の入力に出力される。
【００８６】
さらに、ＤＳＰ５４の出力は、Ｄ／Ａコンバータ５５に出力され、３つのＬＰＦ５６を介してＹ（輝度信号）とＲ−Ｙ／Ｂ−Ｙ信号がエンコーダ５８に出力される。ここで、ＬＰＦ５６はＤ／Ａコンバータ５５の各チャンネルにつながっている。
【００８７】
また、エンコーダ５８は、３つのＬＰＦ５６からのＹ（輝度信号）とＲ−Ｙ／Ｂ−Ｙ信号を受け、色差信号をｆｓｃ（サブキャリア信号）５９で平衡変調しＣ信号とＹ信号を作り出と共に、加算器６０にてＣ信号とＹ信号を加算しビデオ出力する。
【００８８】
Ａ／Ｄコンバータ５３、ＤＳＰ５４及びＤ／Ａコンバータ５５はＳＳＧ２５により発生されるクロック信号であるＳｙｓｔｅｍ  Ｃｌｏｃｋにより制御される。またＳＳＧ２５からのＳｙｎｃ、ＢＦ等の同期信号６１は、エンコーダ５８とＤＳＰ５４に入力される信号処理のための同期信号である。
【００８９】
その他の本実施の形態は、第１の実施の形態のアナログ信号処理の回路を、ＤＳＰ５４を用いたデジタル信号処理にしたものである。すなわち、ＣＣＤ２２の出力信号を処理して、最終的にビデオ信号にすることは、第１の実施の形態と第２の実施の形態とも同じである。
【００９０】
第２の実施の形態では、Ｓ／Ｈ２７の出力をＡ／Ｄ変換する前の不要な高調波成分を取り除くためのＬＰＦ５２を介しＡ／Ｄコンバータ５３の信号入力につなげている。
【００９１】
Ａ／Ｄコンバータ５３によりデジタル変換されたＳ／Ｈ回路２７の信号は、ＤＳＰ５４により、図１のアナログ回路で示した映像信号処理をデジタル演算で行っている。
【００９２】
ＤＳＰ５４の出力から演算されたデジタル信号はＤ／Ａコンバータ５５によりＹ（輝度信号）とＲ−Ｙ／Ｂ−Ｙ信号に変換されて、ＬＰＦ５６によりＡＤ変換による高周波信号を除去され、エンコーダ５８により最終的なビデオ信号が作成される。
【００９３】
第２の実施の形態においては、図１に示した第１の実施の形態と同様に、サブキャリア信号ｆｓｃは、ＳＳＣＧ１を通さずに単に分周器２６にて同期分周された信号を用いている。
【００９４】
このサブキャリア信号ｆｓｃを発生する以外の信号処理（ＣＣＤの駆動、サンプルホールド、Ａ／Ｄ変換、ＤＳＰ信号処理、Ｄ／Ａ変換、Ｓｙｓｔｅｍ  Ｃｌｏｃｋ利用、Ｓｙｎｃ、ＢＦ等の同期信号利用等）はすべてＳＳＣＧ１を利用してスペクトル拡散されたクロック信号を用いて発生されている。
【００９５】
このように第２の実施の形態においても第１の実施の形態と同様に、サブキャリア信号ｆｓｃ以外の信号にスペクトル拡散をしているのでＥＭＩレベルを改善したデジタル信号処理を実現できる。
【００９６】
図８は第２の実施の形態は変形例の構成を示しており、第２の実施の形態と比較してｆｓｃ（サブキャリア周波数）の作り方が異なる。
【００９７】
この変形例では、４ｆｓｃ信号をＳＳＣＧ１にてスペクトル拡散処理し、ＳＳ−４ｆｓｃ信号を作る。それを分周器２６にて直接分周処理しＳＳ−ｆｓｃを作成している。
【００９８】
さらこの変形例では、ＩＮＶ．ＳＳＣＧ部６１を通して、スペクトル拡散処理されたＳＳ−ｆｓｃ信号を逆拡散処理し、スペクトル拡散処理されていないｆｓｃ（サブキャリア周波数）を作り出している。
【００９９】
この逆拡散処理を実行するために、ＳＳＧ２５からＳＳＣＧ Ｒｅｓｅｔ信号６２を用いてＳＳＣＧ２５の拡散処理と対応してＩＮＶ．ＳＳＣＧ６１に対しリセットをかけている。
【０１００】
具体的には、ｆｓｃ（サブキャリア周波数）の位相偏移を無くすようにｆｓｃ（サブキャリア周波数）信号を補正する処理をする。
【０１０１】
この変形例の構成では、ＥＭＩのノイズ源となる同期信号は、基本クロック発振器２４から出力される４ｆｓｃ信号とＩＮＶ．ＳＳＣＧ部６１から出力されるｆｓｃ（サブキャリア周波数）だけでありノイズ源となる部分が小型にレイアウトできる。また、その他の信号処理は全てスペクトラム拡散処理された信号を用い行われるので、ＥＭＩレベルを改善した回路構成が第２の実施の形態に比較して簡単にできると言う効果がある。
【０１０２】
上記変形例においても、第２の実施の形態と同様に、ｆｓｃ（サブキャリア周波数）以外の信号にスペクトル拡散をしているのでＥＭＩレベルを改善したデジタル信号処理を実現できる。
【０１０３】
第３の実施の形態：  
図９は本発明の第３の実施の形態に係る映像機器である医療用電子内視鏡装置の構成を示す構成図である。
【０１０４】
第３の実施の形態は、第２の実施の形態とほとんど同じであるので、異なる点のみ説明し、同一の構成には同じ符号をつけ説明は省略する。
【０１０５】
第３の実施の形態である医療用電子内視鏡装置７１では、図９に示すように、ＣＣＤ２２の信号を処理して最終的にビデオ信号にする目的は、第１及び第２の実施の形態と同じであり、第３の実施の形態では患者回路と２次回路に別れていることが特徴になっている。
【０１０６】
ここで、絶縁回路（フォトカプラ、絶縁トランス等）７２は患者回路と２次回路を分離している。
【０１０７】
ＣＣＤ２２からの信号をＳ／Ｈ回路２７にて処理し、Ａ／Ｄコンバータ５３を介してＤＳＰ５４に入力されＤ／Ａコンバータ５５からＹ信号、Ｒ−Ｙ・Ｂ−Ｙ信号等が出力される流れは第２の実施の形態と同じである。
【０１０８】
第３の実施の形態では、Ｓ／Ｈパルス２８ａ’を作成するために、ＰＬＬ回路を形成している。すなわち、ＰＬＬ用位相比較器（ＰＣ）７３からＰＬＬ用チャージポンプ（ＣＰ）７４、ＰＬＬ用ＶＣＯ７５及びＰＬＬ用分周器（１／Ｎ回路）７６ａによるＰＬＬループが形成されている。そして、Ｓ／Ｈパルス用分周器（１／Ｎ回路）７６ｂの出力をＳ／Ｈパルス２８ａ’として使用している。
【０１０９】
Ｓ／Ｈパルス用分周器（１／Ｎ回路）７６ａは、ＰＬＬ用ＶＣＯ７７の出力を分周している。このＰＬＬ回路部では、ＳＳＣＧ１をＰＬＬループ内に持ち、スペクトラム拡散処理した信号をＰＬＬ用位相比較器（ＰＣ）７３に入力している。ＳＳＣＧ１のＲｅｓｅｔ端子１１にはＳＳＧ２５からＳＳＣＧ  Ｒｅｓｅｔ信号がＤｅｌａｙ回路７８を介して入力されている。
【０１１０】
一方、２次回路（＝非絶縁回路）に配置してあるＰＬＬ回路は、ＰＬＬ用位相比較器（ＰＣ）７３と、ＰＬＬ用チャージポンプ（ＣＰ）７４、そしてＰＬＬ用ＶＸＯ７５、ＰＬＬ用分周器（１／Ｎ回路）７６ａより構成されており、ＰＬＬ用ＶＣＯ７５の出力をＡ／Ｄコンバータ５３、ＤＳＰ５４、Ｄ／Ａコンバータ５５で構成するＤＳＰ部へ基準クロックを供給している。
【０１１１】
また、２次回路（＝非絶縁回路）に配置してあるＳＳＧ（同期信号発生器）７９はテレビ信号フォーマットに適合した同期信号（Ｓｙｎｃ、ＨＤ、ＶＤ等）をＤＳＰ部に供給して動作の基準信号となっている。
【０１１２】
本実施の形態では、ＳＳＣＧ１によりスペクトラム拡散処理された信号を用いＣＣＤ２２の駆動をする。
【０１１３】
この点は第１及び第２の実施の形態と同じである。これによりＣＣＤ駆動時のＥＭＩレベルを低減している。
【０１１４】
特に、患者回路（＝絶縁回路）は、漏れ電流を少なくして電気安全性を向上してあるためにフローティング部分であり大地アースに対して浮いている回路部分である。従来のこのフローティング部はノイズ発生源部分であり、ＥＭＩ対策は極力患者回路（＝絶縁回路）を金属ＢＯＸシールドで覆いかつＥＭＩノイズの出る信号ラインはフェライトコア等を入れる必要があった。
【０１１５】
この本実施の形態では、このフローティング部分である患者回路（＝絶縁回路）に、スペクトラム拡散処理を施した信号を用いて動作を行わせることにより、ＥＭＩノイズ成分を低減している。
【０１１６】
Ｄｅｌａｙ回路７８からのＲｅｓｅｔ信号は、ＳＳＣＧ１のＲｅｓｅｔ端子１１に入力されている。このＲｅｓｅｔ信号は、ＣＣＤ駆動側のＳＳＣＧ１によりスペクトラム拡散処理されたＣＣＤ２２の駆動信号に対して、関係付けて拡散処理されている。
【０１１７】
なお、第１の実施の形態では駆動信号とＣＣＤ信号、サンプルホールド信号の変調成分を対応をＤｅｌａｙ回路による遅延手段により関係付けていたが、その他の手段としては本実施の形態に示すように、ＳＳＣＧ  Ｒｅｓｅｔ信号を用い、サンプルホールドパルス生成用のＳＳＣＧ１をＲｅｓｅｔ端子１１を用いて強制的に関係付けをとることで駆動信号とＣＣＤ信号、サンプルホールド信号の変調成分を対応つけている。
【０１１８】
第４の実施の形態：  
図１０は本発明の第４の実施の形態に係る映像機器の構成を示す構成図である。
【０１１９】
第４の実施の形態を図１０を用いて説明する。図１０の中で符号８１で示す部分はビデオカメラユニットであり、図１３で示した従来例と同じ“スペクトラム拡散処理を実施していない”デジタル処理のビデオカメラである。また、符号８２で示す部分はシールド処理されていない画像処理ユニットであり、ビデオカメラユニット８１に接続されている。
【０１２０】
図１３で示した従来例との差は、ビデオカメラユニット８１がシールドケース８１ａにより従来例のビデオカメラ部が全て覆われている点である。
また、画像処理ユニット８２とビデオカメラユニット８１との接続は、ＤＳＰ２０８からのデジタルデータバス８３によりなされている。さらに、ビデオカメラユニット８１からは４ｆｓｃまたは画素クロックが画像処理ユニット８２のＳＳＣＧ１へ出力されている。
【０１２１】
デジタルデータバス８３はＤＦＦ（ラッチ回路）８４によりラッチされ、ＳＳデジタルデータバス８５となり次段のイメージプロセッサ８６へ伝送されている。
【０１２２】
画像処理ユニット８２では、４ｆｓｃまたは画素クロックをＳＳＣＧ１によりスペクトラム拡散処理してＳＳ−ＣＬＫ８７として出力している。
【０１２３】
ビデオカメラユニット８１内では、全ての回路処理が同期動作になっている。第１または第２の実施の形態で示したように、スペクトラム拡散処理を実施すればＥＭＩレベルを低減できるが、ビデオカメラユニット８１は一つのハイブリットＩＣまたはワンチップの信号処理回路であり小型化を実現するために従来例と同じ回路構成をとっている。
【０１２４】
このビデオカメラユニット８１部分ではＥＭＩのレベルを低減するためにシールドケース８１ａにより覆われノイズレベルを低減している。
【０１２５】
本実施の形態では、ビデオカメラユニット８１はスペクトラム拡散処理は実施されていないが、画像処理ユニット８２は、内部のＳＳＣＧ１によりスペクトラム拡散処理されたＳＳ−ＣＬＫ８７により処理されている。ＤＳＰ５４から入出力されるデジタルデータバス８３はＤＦＦ（ラッチ回路）８４によりＳＳ−ＣＬＫ８７のタイミングに基づいて処理されＳＳデジタルデータバス８５となる。
【０１２６】
このＳＳデジタルデータバス８５はＥＭＩレベルを低減されたデジタルデータ信号の束となっている。
【０１２７】
このように本実施の形態では、従来例で示すＥＭＩレベルの大きいユニットに対し、接続する処理ユニットにスペクトル拡散処理されたクロックを用いて処理しているので、上記各実施の形態と同様な効果を得ることができる。
【０１２８】
なお、第４の実施の形態中に示した画像処理ユニット８２のＳＳＣＧ１は、ビデオカメラユニット８１内の破線で示す符号８８の位置等、別の設置場所に置いても良い。また、ＤＦＦ（ラッチ回路）８４も同様にビデオカメラユニット８１内に設けても良い。
【０１２９】
第４の実施の形態では、ビデオカメラユニット８１に対しシールドケース８１ａを施したが、ビデオカメラユニット８１が半導体設計の進歩により集積化されワンチップで構成される場合、基板上にシールドケースを施しても良い。また、ビデオカメラユニット８１が半導体設計の進歩によりワンチップで構成される場合には、低消費電力化も達成されるので、消費電力の低減につれてＥＭＩレベルも小さくなるのでシールドケースを外して構成しても良い。
【０１３０】
第５の実施の形態：  
図１１は本発明の第５の実施の形態に係る映像機器の構成を示す構成図である。
【０１３１】
第５の実施の形態は、第２の実施の形態とほとんど同じであるので、異なる点のみ説明し、同一の構成には同じ符号をつけ説明は省略する。
【０１３２】
次に図１１を用いて第５の実施の形態を説明する。第５の実施の形態はＴＶ、ＦＭＤ（フェイスマウントディスプレイ）、プロジェクタ等のディスプレイ又はプリンタ装置９１と、これに接続されるメモリカードや磁気記録装置の記録装置９２についての例である。
【０１３３】
ディスプレイ又はプリンタ装置９１には、ビデオ入力端子９３からコンポジット信号等の映像信号が入力され、ＹＣ分離器（Ｓｅｐ）９４にてＹ信号とＣ信号を分離され、デコーダ９５にてＹ０、Ｕ０、Ｖ０信号に分離される。
【０１３４】
そして、Ｃ信号はＰＬＬ用位相比較器（ＰＣ）７３、ＰＬＬ用チャージポンプ（ＣＰ）７４、ＰＬＬ用ＶＣＯ７５で示すＰＬＬ回路により、ビデオ入力端子９３に同期したクロックｆｓｃを作成している。
【０１３５】
デコーダ９５からの信号をフィルタリングするＬＰＦ９６は、Ａ／Ｄコンバータ９７にＹ０、Ｕ０、Ｖ０信号を入力する前にエリアジング防止のための帯域制限フィルタである。Ａ／ＤされたＹ２、Ｕ２、Ｖ２信号はデジタルプロセス回路９８にて信号処理され、Ｒ０、Ｇ０、Ｂ０信号になり、後段のＬＣＤ９９の入力信号フォーマットに対応したデジタル信号となる。
【０１３６】
このＲ０、Ｇ０、Ｂ０信号をＤ／Ａコンバータ１００にてアナログ信号に変換しＲ１、Ｇ１、Ｂ１信号としてＬＣＤ９９に出力する。ここで、レンズ１０１はＬＣＤ９９等の表示媒体の像を形成する光学系であり、観察者又は印刷媒体１０２に最適な画像を提供する。
【０１３７】
なお、ＳＳＣＧ１は、基準クロック（ｆｓｃ）を処理しＳＳ−ｆｓｃを出力している。
【０１３８】
また、記録装置９２内には記録手段としての例えば磁気記録媒体（メモリ）１０３が設けらており、Ｙ１、Ｕ１、Ｖ１信号を記録装置９２の信号フォーマットに一致するような信号Ｒ２、Ｇ２、Ｂ２信号として出力される。
【０１３９】
本実施の形態では、ビデオ入力端子９３をＹＣ分離器（Ｓｅｐ）９４にてＹＣ分離し、デコーダ９５にてデコード処理をしＹＵＶ信号に変換している。このデコードの際に必要な基準クロックはＰＬＬ用位相比較器（ＰＣ）７３、ＰＬＬ用チャージポンプ（ＣＰ）７４、ＰＬＬ用ＶＣＯ７５、ＰＬＬ用分周器（１／Ｎ）７６ａで構成されるＰＬＬ回路で発生している。
【０１４０】
本実施の形態においては、ＳＳＣＧ１によりスペクトラム拡散処理されたＳＳ−ｆｓｃクロックに基づきデコード後のＹＵＶ信号をＡ／Ｄ変換し、その後にデジタルプロセス回路９８にてデジタル処理を実施している。このＳＳ−ｆｓｃクロックに基づきＬＣＤ９９等のディスプレイ又はプリンタドライバに表示している。
【０１４１】
またＳＳ−ｆｓｃクロックに基づき記録装置９２にて画像の情報記録をメモリカード等の磁気記録媒体１０３に対して実施している。
【０１４２】
本実施の形態では、デジタル化された後に「表示に関する信号処理」と「記録に関する信号処理」をスペクトラム拡散処理されたＳＳ−ｆｓｃクロックを用いて行っているので、ＥＭＩの妨害波のレベルを大幅に少なくすることができている。
【０１４３】
この効果によりＬＣＤ９９等を備えたディスプレイ又はプリンタ装置９１（ＦＭＤ、レーザービームドライバ等）は、シールド材などを使用せずにＥＭＩのレベルを低減できるので、小型・軽量かつ安価な表示装置を実現している。また記録装置９２でも、シールド材が不要となり薄型に安価に製造が可能となる。
【０１４４】
なお、記録装置９２はＬＣＤ９９等を備えたディスプレイ又はプリンタ装置９１に対し着脱可能であっても良い。
【０１４５】
第６の実施の形態：  
図１２は本発明の第６の実施の形態に係る映像機器の構成を示す構成図である。
【０１４６】
本実施の形態は、図１２に示すように、画像機能付き携帯電話・ＰＨＳ等への応用例である。
【０１４７】
画像機能付き携帯電話・ＰＨＳ１２１は、アンテナ１２２、ＲＦ部１２３、ＩＦ（中間周波）部１２４、ベースバンド部１２５、音声処理部１２６及び画像処理部１２７より構成されている。
【０１４８】
これらのブロックは各ブロックに要求される動作周波数によって区分されており、ＲＦ部１２３は、送信切換用のＲＦＳＷ（スイッチ）１３１とパワーアンプ１３２さらに受信用のプリアンプ１３２より構成されている。
【０１４９】
また、ＩＦ（中間周波）部１２４は、送信ミキサ１４１、送信用直交変調器１４２、受信ミキサ１４３、ＩＦアンプ１４４及び受信用直交復調器１４５より構成されている。
【０１５０】
一方、ベースバンド部１２５では、ＴＤＭＡ１５１（またはＣＤＭＡベースバンド処理部）１６１において、ＴＤＭＡまたはＣＤＭＡ等の信号フォーマットに従い信号の並べ替えを行うチャンネルコーデックを主に行い、さらに変調器用Ｄ／Ａコンバータ１６２を用いて差動変復調や、誤り訂正処理、符号化処理もこのベースバンド部で行う。
【０１５１】
音声処理部１２６では、マイクロフォン１７１より音声を取込み音声Ａ／Ｄコンバータ１７２で音声信号を取込む。また、スピーカ１７３からは音声Ｄ／Ａ変換器１７４の信号を受け音声信号が出力される。音声コーデック１７５では、音声信号の帯域圧縮と各国フォーマット（ＰＨＳ，ＧＳＭ、ＩＳ−５４等）に対応した音声符号化と復号化を実施している。
【０１５２】
画像処理部１２７では、第２の実施の形態で説明したデジタルビデオカメラ８１を内蔵している。さらに第５実施の形態で説明したＳＳ拡散処理されたディスプレイ又はプリンタ装置９１を内蔵し画像の表示を行っている。
【０１５３】
以下に第６の実施の形態の動作について詳述する。第６の実施の形態では、画像機能付き携帯電話・ＰＨＳの例を示している。
【０１５４】
まず最初に受信操作について説明する。音声受信操作はアンテナ１２２で受信した信号をＲＦ部１２３のプリアンプ１３３にて増幅し、ＩＦ（中間周波）部１２４にて検波復調する。
【０１５５】
ベースバンド部１２５ではチャンネルコーデックを施し音声処理部１２６で音声復号される。
【０１５６】
画像受信操作は基本的データの流れは、上記ベースバンド部１２５まで音声処理と同じであるが、画像データを受信した場合はＭＰＥＧ２、４等のフオーマットを復調する。
【０１５７】
画像処理部１２６のディスプレイ又はプリンタ装置９１はＳＳ拡散によりＥＭＩのレベルを低減した画像表示装置であり、受信画像を表示する。
【０１５８】
次に送信操作を説明する。音声処理部１２６で入力され音声符号化された信号は、ベースバンド部１２５で送信フォーマットに合うように変換され、ＩＦ（中間周波）部１２４にて変調され、ＲＦ部１２３で増幅され、アンテナ１２２から送出される。
【０１５９】
画像送信操作は、画像処理部１２７にあるデジタルビデオカメラ８１が観察像を撮像しベースバンド部１２５にてＭＰＥＧ２、４等の画像送出フォーマットに変換する。
【０１６０】
それ以降は、上記音声送信操作に示すＩＦ（中間周波）部１２４以降と同じである。
【０１６１】
第６の実施の形態のおいては、画像処理部１２７において画像の撮像においては、デジタルビデオカメラ８１を用い低ＥＭＩレベルを実現し信号処理をしている。
【０１６２】
また。画像の表示については、ディスプレイ又はプリンタ装置９１を用いＳＳ拡散によりＥＭＩのレベルを低減している。
【０１６３】
通常、携帯電話・ＰＨＳ等は受信時には微小電力を扱い、送信時には大電力を扱う。小型の携帯機器の内部での送受信ブロックのレベル差は約１００ｄＢ程度であり、送受信ブロック間の相互妨害を防ぐのが設計上の大きな課題であった。
【０１６４】
本実施の形態では、画像の送受信部にＳＳ拡散処理を応用し低ＥＭＩレベルの画像撮像または画像表示又はプリント装置を設けてあるので、画像処理部１２７から音声処理部１２６への妨害が少なくなりデータの誤り率が向上するのと、またさらに音声処理部１２６により画像処理部１２７への妨害が少なくなり、画面上のノイズが軽減されると言う効果がある。
【０１６５】
［付記］  
（付記項１）  スペクトル拡散処理を施した第１のクロックを用い映像信号処理を実施する映像処理手段と、
スペクトル拡散処理を施されていない第２のクロックを用い映像信号を生成する映像信号生成手段と
を備えたことを特徴とする映像機器。
【０１６６】
（付記項２）  前記第１のクロックを用いる映像処理手段は、ビデオカメラの信号処理を行う
ことを特徴とする付記項１に記載の映像機器。
【０１６７】
（付記項３）  前記第１のクロックを用いる映像処理手段は、電子内視鏡の信号処理を行う
ことを特徴とする付記項１に記載の映像機器。
【０１６８】
（付記項４）  前記第１のクロックを用いる映像処理手段は、画像処理の信号処理を行う
ことを特徴とする付記項１に記載の映像機器。
【０１６９】
（付記項５）  前記第１のクロックを用いる映像処理手段は、画像表示装置の信号処理を行う
ことを特徴とする付記項１に記載の映像機器。
【０１７０】
（付記項６）  前記第１のクロックを用いる映像処理手段は、画像記録装置の信号処理を行う
ことを特徴とする付記項１に記載の映像機器。
【０１７１】
（付記項７）  前記第１のクロックを用いる映像処理手段は、携帯コミュニケーションツールの信号処理を行う
ことを特徴とする付記項１に記載の映像機器。
【０１７２】
（付記項８）  前記第１のクロックに施された前記スペクトル拡散処理の拡散コードを外部より任意の拡散情報として入力・保持する拡散コード保持手段を備えた
ことを特徴とする付記項１に記載の映像機器。
【０１７３】
（付記項９）  スペクトル拡散処理を施されていない前記第２のクロックは、スペクトル拡散処理を施されていないクロック、または、スペクトラム拡散処理された後に逆スペクトラム拡散処理されたクロックである
ことを特徴とする付記項１に記載の映像機器。
【０１７４】
（付記項１０）  前記ビデオカメラの信号処理において、
スペクトル拡散された撮像素子のサンプルホールド処理は、スペクトル拡散された撮像素子信号出力と相関を持ったサンプルホールドパルスにより処理される
ことを特徴とする付記項２に記載の映像機器。
【図面の簡単な説明】
【０１７５】
【図１】本発明の第１の実施の形態に係る映像機器であるアナログ方式のビデオカメラの構成を示す構成図
【図２】図１のＳＳＣＧの構成を示す構成図
【図３】図２のＳＳＣＧによるスペクトル拡散処理の作用を説明する説明図
【図４】図１のビデオカメラを金属筐体で覆った際のＥＭＩ測定の結果を示す図
【図５】図１のビデオカメラをモールド筐体で覆った際のＥＭＩ測定の結果を示す図
【図６】図１のサンプルホールド信号を説明する図
【図７】本発明の第２の実施の形態に係る映像機器であるデジタル方式のビデオカメラの構成を示す構成図
【図８】図７のデジタル方式のビデオカメラの変形例の構成を示す構成図
【図９】本発明の第３の実施の形態に係る映像機器である医療用電子内視鏡装置の構成を示す構成図
【図１０】本発明の第４の実施の形態に係る映像機器の構成を示す構成図
【図１１】本発明の第５の実施の形態に係る映像機器の構成を示す構成図
【図１２】本発明の第６の実施の形態に係る映像機器の構成を示す構成図
【図１３】従来の映像機器の構成を示す構成図
【図１４】図１３の映像機器のサンプルホールド信号を説明する図
【図１５】図１３の映像機器の電磁波輻射のレベルを説明する図
【図１６】図１３の映像機器の電磁波輻射対策の一例を示す図
【図１７】図１３の映像機器を金属筐体で覆った際のＥＭＩ測定の結果を示す図
【図１８】図１３の映像機器をモールド筐体で覆った際のＥＭＩ測定の結果を示す図
【符号の説明】
【０１７６】
１…ＳＳＣＧ
２１…ビデオカメラ
２２…ＣＣＤ
２３…ＣＣＤドライバ
２４…基本クロック発振器
２５…ＳＳＧ
２６…分周器
２７…Ｓ／Ｈ
【図１】
2006186978.tif 000003
【図２】
2006186978.tif 000004
【図３】
2006186978.tif 000005
【図４】
2006186978.tif 000006
【図５】
2006186978.tif 000007
【図６】
2006186978.tif 000008
【図７】
2006186978.tif 000009
【図８】
2006186978.tif 000010
【図９】
2006186978.tif 000011
【図１０】
2006186978.tif 000012
【図１１】
2006186978.tif 000013
【図１２】
2006186978.tif 000014
【図１３】
2006186978.tif 000015
【図１４】
2006186978.tif 000016
【図１５】
2006186978.tif 000017
【図１６】
2006186978.tif 000018
【図１７】
2006186978.tif 000019
【図１８】
2006186978.tif 000020